(57)【要約】【課題】燃料補充のための燃料注入の際に処理を中断し、内部状態を保存して電源を切断し、燃料注入を終えたときに電源を再投入し、保存した内部状態を呼び出し中断された処理を再開させることで、燃料漏れに起因する機器の故障を未然防止する。【解決手段】アプリケーションの処理途中に燃料電池２００の残量が残り僅かとなり、燃料補充が必要とされたとき、携帯電話機本体１（主制御部１０）は、開栓センサ２２１により燃料タンク２２の開栓を検知し、サスペンド制御部１３と協働して処理にかかわる装置の内部状態を不揮発性メモリ１２に保存して電源を切断する。そして、開栓センサ２２１により燃料の注入を終えたことを検知したときにリジューム制御部１４と協働して電源を再投入し、保存した内部状態を呼び出して中断された処理を再開させる。【選択図】図１
2008052725.tif 000002
【特許請求の範囲】
【請求項１】
燃料電池と、
前記燃料電池の燃料補給口近傍に設けられ、前記燃料補給口の開栓および閉栓を検知す
る開栓検知手段と、
前記燃料補給口の開栓を検知したことを契機に実行中のアプリケーションの処理を中断
し、装置の内部状態を退避して前記燃料電池による電力の供給を停止するサスペンド制御
手段と、
前記燃料補給口の閉栓を検知したとことを契機に前記燃料電池による電力の供給を再開
し、前記装置の内部状態を呼び出して前記アプリケーションの処理を中断直前の状態から
再開するリジューム制御手段と、
を備えたことを特徴とする携帯端末装置。
【請求項２】
燃料電池と、
前記燃料電池の燃料補給口近傍に設けられ、前記燃料補給口の開栓および閉栓を検知す
る開栓検知手段と、
更に、前記燃料補給口を覆う燃料補給口のカバーと、
前記カバーの開状態および閉状態態を検知する第２の検知手段と、
前記カバーの開状態を検知したこと、および／または、前記燃料補給口の開栓を検知したことを契機に実行中のアプリケーションの処理を中断し、装置の内部状態を退避して前記燃料電池による電力の供給を停止するサスペンド制御手段と、
前記燃料補給口の閉栓を検知したとことを契機に前記燃料電池による電力の供給を再開
し、前記装置の内部状態を呼び出して前記アプリケーションの処理を中断直前の状態から
再開するリジューム制御手段と、
を備えたことを特徴とする携帯端末装置。
【請求項３】
前記リジューム制御手段による電力の供給再開を、自動、もしくは手動で行うことを選
択可能なメッセージを表示し、ユーザによる選択入力を取り込んで装置の動作環境を設定
するユーザインタフェース提供手段と、
を備えたことを特徴とする請求項１又は２記載の携帯端末装置。
【請求項４】
前記リジューム制御手段は、
計測される外気温と前記燃料電池内部の温度との温度差が、所定の値を超えたときに、
前記電力の供給再開を禁止することを特徴とする請求項１又は２記載の携帯端末装置。
【請求項５】
外気温と前記燃料電池内部の温度をそれぞれ計測する温度計測手段と、
前記外気温と前記燃料電池内部の温度との温度差を監視し、前記温度差が所定の値を超
えたときに外部に報知して注意喚起する報知手段と、
を備えたことを特徴とする請求項１又は２記載の携帯端末装置。
【発明の詳細な説明】
【技術分野】
【０００１】
本発明は、燃料電池を駆動電源として用いる、特に、携帯電話機に用いて好適な、携帯
端末装置に関する。
【背景技術】
【０００２】
小型軽量化を最重要設計事項とする携帯端末装置における駆動用電池は、現在リチュウ
ムイオン電池が主流であるが、同じ大きさの燃料電池の寿命が、理論上、その１０倍ある
ことから、近年、燃料電池の熾烈な開発競争が繰り広げられている。
【０００３】
携帯端末装置は、液体であるメタノールを燃料とする方式が主流になっており、また、
メタノールを燃料電池に供給するダイレクトメタノール燃料電池（ＤＭＦＣ）という方式
が注目されている。メタノールを供給するＤＭＦＣ方式は、燃料極でメタノールが水と化
学反応して二酸化炭素、水素イオン、電子を生成し、このうち、水素イオンは電解質膜を
通って空気極へ移動し、外部回路を流れた電子、および空気中の酸素と化学反応させるこ
とで発電を行なう。
【０００４】
上記した化学変化の反応熱により、燃料電池の筐体内部は高温になり、燃料に含まれる
水、メタノールの他、反応により発生した生成物を含む酸性蒸気が発生する。このため、
従来、燃料電池の筐体内部に隔壁を設け、発電部から発生する酸性蒸気が制御回路基板を
腐食させ、あるいはショートさせないための構造が提案されている（例えば、特許文献１
参照）。
【特許文献１】特開２００５−１０８７１６号公報
【発明の開示】
【発明が解決しようとする課題】
【０００５】
ところで、携帯電話機の分野では、図３（ａ）に示されるように、燃料電池２００をク
レードル型として携帯電話機１００に外付けして使用するタイプと、図３（ｂ）に示され
るように、燃料電池２００を携帯電話機１００（ＬＣＤ実装筐体１０１とキー実装筐体１
０２とがヒンジ機構１０３を介して結合される折り畳み式筐体）に内蔵するタイプが試作
され、それぞれ発表されている。
【０００６】
後者は、携帯電話機１００の積載部（図中、太線で示す領域）に、発電部である小型の
燃料電池本体と燃料タンクとから成る燃料電池２００が搭載されており、電池残量が不足
した際、別途用意される小型の燃料カートリッジ（不図示）を用い、燃料補給口２０１か
ら燃料を補充できる構造になっている。燃料補給口２０１は、通常閉栓され、燃料補給時
のみ開栓される構造になっている。
【０００７】
ところが、上記した燃料タンクに燃料を補充のため注入する際、注入の仕方によっては
誤って燃料カートリッジから燃料をこぼすことがある。こぼした燃料が携帯電話機内部に
侵入した場合、携帯電話機の故障が懸念されるが、特に、電源が投入された状態でこぼし
た場合は、内部の回路基板をショートさせる恐れがあり、携帯電話機故障の危険性が増大
する。このことに対し、上記した特許文献１に開示された技術は、燃料電池筐体内部の腐
食、ショート回避に関わるものであって、上記した燃料漏れに起因する携帯電話機の故障
を防止するものではない。
【０００８】
本発明は、上記した課題を解決するためになされたものであり、燃料補充のための燃料
注入の際に実行中のアプリケーションの処理を中断し、内部状態を保存して電源を切断し
、燃料注入を終えたときに電源を再投入して保存した内部状態を呼び出し中断されたアプ
リケーションの処理を再開させることで、燃料漏れに起因する故障を未然に防止すること
のできる携帯端末装置を提供することを目的とする。
【課題を解決するための手段】
【０００９】
上記した課題を解決するために本発明の携帯端末装置は、燃料電池と、燃料電池の燃料
補給口近傍に設けられ、燃料補給口の開栓および閉栓を検知する開閉栓検知手段と、燃料
補給口の開栓を検知したことを契機に実行中のアプリケーションの処理を中断し、装置の
内部状態を退避して燃料電池による電力の供給を停止するサスペンド制御手段と、燃料補
給口の閉栓を検知したとことを契機に燃料電池による電力の供給を再開し、装置の内部状
態を呼び出してアプリケーションの処理中断直前の状態から再開するリジューム制御手段
と、を備えたものである。
【００１０】
更に、上記した課題を解決するために本発明の携帯端末装置は、燃料電池と、燃料電池の燃料補給口近傍に設けられ、燃料補給口の開栓および閉栓を検知する開栓検知手段と、更に、燃料補給口を覆う燃料補給口のカバーと、カバーの開状態および閉状態を検知する第２の検知手段と、カバーの開状態を検知したこと、および／または、燃料補給口の開栓を検知したことを契機に実行中のアプリケーションの処理を中断し、装置の内部状態を退避して燃料電池による電力の供給を停止するサスペンド制御手段と、燃料補給口の閉栓を検知したとことを契機に燃料電池による電力の供給を再開し、装置の内部状態を呼び出してアプリケーションの処理を中断直前の状態から再開するリジューム制御手段と、を備えたものである。
【発明の効果】
【００１１】
本発明によれば、燃料補充のための燃料注入の際に実行中のアプリケーションの処理を
中断し、内部状態を保存して電源を切断し、燃料注入を終えたときに電源を再投入し、保
存した内部状態を呼び出して中断されたアプリケーションの処理を再開させることで、燃
料漏れに起因する携帯端末装置の故障を未然に防止することができる。
【発明を実施するための最良の形態】
【００１２】
図１は、本発明の第１の実施の形態にかかわる携帯端末装置の内部構成を示すブロック図である。ここでは、携帯端末装置として、燃料電池２００を駆動電源とする携帯電話機が例示され、本発明と関係するブロックのみ抽出して示してある。
【００１３】
図１に示される携帯電話機は、携帯電話機本体１と、燃料電池２００と、キースイッチ
３と、ＬＣＤ（Ｌｉｑｕｉｄ  Ｃｒｙｓｔａｌ  Ｄｉｓｐｌａｙ  Ｄｅｖｉｃｅ）から成る表示モニタ４と、外気温センサ５とにより構成される。
【００１４】
携帯電話機本体１は、主制御部１０と、入力ポート１１と、不揮発性メモリ１２と、サ
スペンド制御部１３と、リジューム制御部１４と、電源制御部１５と、ＧＵＩ（Ｇｒａｐｈｉｃａｌ  Ｕｓｅｒ  Ｉｎｔｅｒｆａｃｅ）提供部１６と、ＲＡＭ１７とにより構成される。
【００１５】
主制御部１０は、本発明の携帯端末装置の制御中枢となり、ここでは、後述する燃料電
池２００（燃料タンク２２）の開栓を検知してサスペンド処理、閉栓を検知してリジュー
ム処理を実行するためのシーケンス制御、および後述する温度制御を行なう。
【００１６】
入力ポート１１には、外気温センサ５により計測される外気温情報、更には、後述する
燃料タンク２２の燃料補給口近傍と内部のそれぞれに設置された、開栓センサ２２１、熱
センサ２２２出力が接続されており、ここで取得されたそれぞれの情報は、主制御部１０
に供給される。
【００１７】
サスペンド制御部１３は、主制御部１０による制御の下、燃料タンク２２の燃料補給口
の開栓を検知したことを契機に、メール作成等アプリケーションの実行を中断し、装置の
内部状態をフラッシュメモリ等の不揮発性メモリ１２に退避（セーブ）し、燃料電池２０
０による電力の供給を停止する制御を行なう。また、リジューム制御部１４は、主制御部
１０による制御の下、燃料タンク２２の燃料補給口の閉栓を検知したとことを契機に、電
力の供給を再開し、不揮発性メモリ１２から装置の内部状態を呼び出して（リストア）、
アプリケーションの処理中断直前の状態から再開する制御を行なう。
【００１８】
このため、主制御部１０と、不揮発性メモリ１２と、サスペンド制御部１３とは、燃料
補給口の開栓を検知したことを契機に、実行中のアプリケーションの処理を中断し、装置
の内部状態を退避して電力の供給を停止するサスペンド制御手段として機能する。
【００１９】
また、主制御部１０と、不揮発性メモリ１２と、リジューム制御部１３とは、燃料補給
口の閉栓を検知したとことを契機に、燃料電池による電力の供給を再開し、装置の内部状
態を呼び出してアプリケーションの処理中断直前の状態から再開するリジューム制御手段
として機能する。
【００２０】
リジューム制御部１４はまた、主制御部１０による制御の下、計測される外気温と燃料
電池２００の内部の温度との温度差（α）が、所定の値（閾値β）を超えたときに、電力
の供給再開を禁止する制御も行なう。
【００２１】
このとき、主制御部１０は、外気温センサ５を介して取得される外気温情報と、燃料電
池２００内部の温度情報（熱センサ２２２出力）とをそれぞれ取得し、外気温と燃料電池
内部の温度との温度差を監視し、その温度差が閾値βを超えたときに、表示モニタ４に注
意喚起のメッセージを表示する報知手段としても機能する。
【００２２】
本実施形態に係る外気温と燃料電池内部の温度との温度差と本体温度等の各種温度につ
いては後で詳述する。
【００２３】
なお、電源制御部１５は、サスペンド制御部１３、あるいはリジューム制御部１４によ
る燃料電池２００による電源供給のＯＮ／ＯＦＦ制御を行なう。
【００２４】
また、ＧＵＩ提供部１６は、装置の動作環境設定時、もしくは任意のタイミングで、主
制御部１０による制御の下、リジューム処理時における電力の供給再開を自動、もしくは
手動で行うことを選択可能なメッセージを表示モニタ４に表示し、続いて、ユーザがキー
スイッチ３を操作することによる選択入力を取り込んで装置の動作環境を設定する機能を
持つ。
【００２５】
一方、燃料電池２００は、発電部である燃料電池本体２１と、燃料タンク２２とから構
成され、例えば、図３（ｂ）に示されるように、携帯電話機本体１００のキー実装筐体１
０２に設けられる燃料電池２００の積載部（図中、太線部）に載置され、所定位置にロッ
クすることで図示せぬコネクタを介し、燃料電池２００と携帯電話機本体１００（キー実
装筐体１０２）とを電気的・機械的に接続する構造を持つものとする。
【００２６】
上記した状態で燃料電池本体２１の発電が開始される。具体的には、燃料タンク２２か
ら燃料電池本体２１にメタノールが供給され、燃料電池本体１内の燃料極でメタノールが
溶媒としての水と化学反応することで、二酸化炭素、水素イオン、電子が生成される。水
素イオンは更に、電解質膜を通って空気極へ移動し、外部回路を流れた電子、空気中の酸
素と化学反応させることで発電を行なう。ここで発生した電力は、燃料電池本体２１内に
設けられる回路基板、およびコネクタを介して携帯電話機本体１、キースイッチ３、およ
び表示モニタ４に供給される。
【００２７】
なお、燃料タンク２２には、補給口近傍に開栓センサ２２１が、内部に熱センサ２２２
が取れ付けられており、ここで、計測される情報は、携帯端末機本体１の入力ポート１１
を経由して主制御部１０に取り込まれる。ここでいう熱センサ２２２、および上記した外
気温センサ５は、白金測温抵抗体、サーミスタ、熱電対等の接触式、サーモバイル（熱起
電力型赤外線センサ）の非接触式のいずれのセンサを用いてもよい。
【００２８】
図２は、本発明の第１の実施の形態にかかわる携帯端末装置の動作を説明するために引用したフローチャートである。
【００２９】
以下、図２に示すフローチャートを参照しながら図１に示す実施の形態の動作について
詳細に説明する。
【００３０】
まず、主制御部１０は、装置の動作環境設定時におけるリジューム処理の電源再投入モ
ードを判定する（ステップＳ２０１）。ユーザは、リジューム処理時における電源再投入
の自動、手動の別を、装置の動作環境設定時にＧＵＩ提供部１６を介して設定できること
は説明したとおりである。
【００３１】
具体的に、主制御部１０は、不揮発性メモリ１２の任意の領域に割当てられたフラグ（
不図示）を参照することにより、電源再投入時の自動、手動の別を判別することができる
。ここで手動設定がなされていた場合、任意のタイミングで手動による電源の再投入が可
能である。
【００３２】
ここでは、自動設定がなされていたものとしてアプリケーションの処理を開始する（ス
テップＳ２０２）。アプリケーションとして携帯電話機に搭載されるものとして、メール
、カメラ、音楽・映画再生、インターネットを用いたダウンロード等がある。
【００３３】
処理の具体例として、ここでは、ユーザは、キースイッチ３を操作してメール作成を行
なっているものとして説明する。このとき、主制御部１０は、押下されたキースイッチ３
とシフトモードに関する情報を取得してＲＡＭ１７のキーインバッファ領域に保持し、キ
ースイッチ３に割当てられたメール送信ボタンの押下を待っている。
【００３４】
この状態で、燃料電池２００の残容量が僅かとなってユーザが燃料補給のために燃料タ
ンク２２の燃料補給口を開栓したとする。燃料補給口の開栓は、開栓センサ２２１により
検知され（ステップＳ２０３）、携帯電話機本体１の入力ポート１１を経由して主制御部
１０に取り込まれる。
【００３５】
このことにより主制御部１０は、サスペンド制御部１３を起動し、サスペンド制御部１
３は、燃料補給口の開栓を検知したことを契機にメール作成のための処理を中断し、装置
の内部状態、ここでは、メール作成中であることを示すフラグ、およびキーインバッファ
（ＲＡＭ１７）に保持された情報を不揮発性メモリ１２退避する（ステップＳ２０４）。
【００３６】
サスペンド制御部１３は、続いて、燃料電池本体２１による電力の供給を停止して主制御
部１０に対しサスペンド処理の終了を通知する（ステップＳ２０５）。
【００３７】
一方、ユーザは、燃料の注入を終え、燃料タンク２２の燃料補給口を閉栓したとする。
【００３８】
燃料補給口の閉栓は、開栓センサ２２１により検知され（ステップＳ２０６）、このこと
は、携帯電話機本体１の入力ポート１１を経由して主制御部１０に取り込まれる。
【００３９】
このことにより、主制御部１０は、リジューム制御部１４を起動し、リジューム制御部
１４は、燃料電池２００における燃料補給口の閉栓を検知したとことを契機に、燃料電池
本体２１による電力の供給を再開し（ステップＳ２０８）、不揮発性メモリ１２から装置
の内部状態、すなわち、メール作成中であることを示すフラグ、およびキーインバッファ
に保持された情報をＲＡＭ１７に呼び出し（リストア）、処理中断直前の状態からメール
作成処理を再開する制御を行なう（ステップＳ２０９）。
【００４０】
なお、主制御部１０は、リジューム制御部１４による電源の再投入処理（ステップＳ２
０８）に先立ち、外気温センサ５により計測される外気温と、熱センサ２２２により計測
される燃料電池２００内部の温度とを入力ポート１１を介して取得し、両者の温度差を監
視している（ステップＳ２０７）。
【００４１】
この温度差が所定の値を超えた場合（ステップＳ２０７“α≧β”）、クロスオーバに
より発電効率が極端に落ち、換気、あるいは低温場所への移動が望まれるため、表示モニ
タ４に注意喚起のメッセージを表示する。なお、表示モニタ４以外に警報ランプ等で代替
してもよい。同時に、リジューム制御部１４に対し、電源の自動供給再開を禁止（ロック
）する制御も行なう（ステップＳ２１０）。したがってこの場合の電源再投入は、回復時
に手動で行なわれる。
【００４２】
次に図５は、本発明の第２の実施の形態にかかわる携帯端末装置の内部構成を示すブロック図である。ここでは、携帯端末装置として、燃料電池２００を駆動電源とする携帯電話機が例示され、本発明と関係するブロックのみ抽出して示してある。
【００４３】
図５に示される携帯電話機は、携帯電話機本体１と、燃料電池２００と、キースイッチ
３と、ＬＣＤ（Ｌｉｑｕｉｄ  Ｃｒｙｓｔａｌ  Ｄｉｓｐｌａｙ  Ｄｅｖｉｃｅ）から成る表示モニタ４と、外気温センサ５とにより構成される。
【００４４】
携帯電話機本体１は、主制御部１０と、入力ポート１１と、不揮発性メモリ１２と、サ
スペンド制御部１３と、リジューム制御部１４と、電源制御部１５と、ＧＵＩ（Ｇｒａｐｈｉｃａｌ  Ｕｓｅｒ  Ｉｎｔｅｒｆａｃｅ）提供部１６と、ＲＡＭ１７とにより構成される。
【００４５】
主制御部１０は、本発明の携帯端末装置の制御中枢となり、ここでは、後述する燃料電
池２００（燃料タンク２２）の開栓を検知してサスペンド処理、閉栓を検知してリジュー
ム処理を実行するためのシーケンス制御、および後述する温度制御を行なう。
【００４６】
入力ポート１１には、外気温センサ５により計測される外気温情報、更には、後述する
燃料タンク２２の燃料補給口近傍と内部のそれぞれに設置された、カバーセンサ２２３、開栓センサ２２１、熱センサ２２２出力が接続されており、ここで取得されたそれぞれの情報は、主制御部１０に供給される。
【００４７】
サスペンド制御部１３は、主制御部１０による制御の下、燃料タンク２２の燃料補給口
の開栓を検知したことを契機に、メール作成等アプリケーションの実行を中断し、装置の
内部状態をフラッシュメモリ等の不揮発性メモリ１２に退避（セーブ）し、燃料電池２０
０による電力の供給を停止する制御を行なう。また、リジューム制御部１４は、主制御部
１０による制御の下、燃料タンク２２の燃料補給口の閉栓を検知したとことを契機に、電
力の供給を再開し、不揮発性メモリ１２から装置の内部状態を呼び出して（リストア）、
アプリケーションの処理中断直前の状態から再開する制御を行なう。
【００４８】
このため、主制御部１０と、不揮発性メモリ１２と、サスペンド制御部１３とは、燃料
補給口の開栓を検知したことを契機に、実行中のアプリケーションの処理を中断し、装置
の内部状態を退避して電力の供給を停止するサスペンド制御手段として機能する。
【００４９】
また、主制御部１０と、不揮発性メモリ１２と、リジューム制御部１３とは、燃料補給
口の閉栓を検知したとことを契機に、燃料電池による電力の供給を再開し、装置の内部状
態を呼び出してアプリケーションの処理中断直前の状態から再開するリジューム制御手段
として機能する。
【００５０】
なお、電源制御部１５は、サスペンド制御部１３、あるいはリジューム制御部１４によ
る燃料電池２００による電源供給のＯＮ／ＯＦＦ制御を行なう。
【００５１】
また、ＧＵＩ提供部１６は、装置の動作環境設定時、もしくは任意のタイミングで、主
制御部１０による制御の下、リジューム処理時における電力の供給再開を自動、もしくは
手動で行うことを選択可能なメッセージを表示モニタ４に表示し、続いて、ユーザがキー
スイッチ３を操作することによる選択入力を取り込んで装置の動作環境を設定する機能を
持つ。
【００５２】
一方、燃料電池２００は、発電部である燃料電池本体２１と、燃料タンク２２とから構
成され、例えば、図７に示されるように、携帯電話機本体１００のキー実装筐体１０２に設けられる燃料電池２００の積載部（図中、太線部）に載置され、所定位置にロックすることで図示せぬコネクタを介し、燃料電池２００と携帯電話機本体１００（キー実装筐体１０２）とを電気的・機械的に接続する構造を持つものとする。
【００５３】
上記した状態で燃料電池本体２１の発電が開始される。具体的には、燃料タンク２２か
ら燃料電池本体２１にメタノールが供給され、燃料電池本体１内の燃料極でメタノールが
溶媒としての水と化学反応することで、二酸化炭素、水素イオン、電子が生成される。水
素イオンは更に、電解質膜を通って空気極へ移動し、外部回路を流れた電子、空気中の酸
素と化学反応させることで発電を行なう。ここで発生した電力は、燃料電池本体２１内に
設けられる回路基板、およびコネクタを介して携帯電話機本体１、キースイッチ３、およ
び表示モニタ４に供給される。
【００５４】
なお、燃料タンク２２には、燃料補給口を覆う燃料補給口のカバー２２４の開閉を検知するカバーセンサ２２３、燃料補給口近傍に開栓センサ２２１が、内部に熱センサ２２２
が取れ付けられており、ここで、計測される情報は、携帯端末機本体１の入力ポート１１
を経由して主制御部１０に取り込まれる。ここでいう熱センサ２２２、および上記した外
気温センサ５は、白金測温抵抗体、サーミスタ、熱電対等の接触式、サーモバイル（熱起
電力型赤外線センサ）の非接触式のいずれのセンサを用いてもよい。ここでいうカバーセンサ２２３はタクトスイッチ等の接触式、光電変換スイッチ、リードスイッチ等の非接触式であのいづれのセンサを用いてもよい。
【００５５】
図６は、本発明の第２の実施の形態にかかわる携帯端末装置の動作を説明するために引用したフローチャートである。
【００５６】
以下、図６に示すフローチャートを参照しながら図５に示す実施の形態の動作について
詳細に説明する。
【００５７】
まず、主制御部１０は、装置の動作環境設定時におけるリジューム処理の電源再投入モ
ードを判定する（ステップＳ２１１）。ユーザは、リジューム処理時における電源再投入
の自動、手動の別を、装置の動作環境設定時にＧＵＩ提供部１６を介して設定できること
は説明したとおりである。
【００５８】
具体的に、主制御部１０は、不揮発性メモリ１２の任意の領域に割当てられたフラグ（
不図示）を参照することにより、電源再投入時の自動、手動の別を判別することができる
。ここで手動設定がなされていた場合、任意のタイミングで手動による電源の再投入が可
能である。
【００５９】
ここでは、自動設定がなされていたものとしてアプリケーションの処理を開始する（ス
テップＳ２１２）。アプリケーションとして携帯電話機に搭載されるものとして、メール
、カメラ、音楽・映画再生、インターネットを用いたダウンロード等がある。
【００６０】
処理の具体例として、ここでは、ユーザは、キースイッチ３を操作してメール作成を行
なっているものとして説明する。このとき、主制御部１０は、押下されたキースイッチ３
とシフトモードに関する情報を取得してＲＡＭ１７のキーインバッファ領域に保持し、キ
ースイッチ３に割当てられたメール送信ボタンの押下を待っている。
【００６１】
この状態で、燃料電池２００の残容量が僅かとなってユーザが燃料補給のために燃料タ
ンク２２の燃料補給口のカバー２２４を開状態としたとする。カバー２２４の開状態は、カバーセンサ２２３により検知され（ステップＳ２１３）、携帯電話機本体１の入力ポート１１を経由して主制御部１０に取り込まれる。
【００６２】
このことにより主制御部１０は、サスペンド制御部１３を起動し、サスペンド制御部１
３は、燃料補給口の開栓を検知したことを契機にメール作成のための処理を中断し、装置
の内部状態、ここでは、メール作成中であることを示すフラグ、およびキーインバッファ
（ＲＡＭ１７）に保持された情報を不揮発性メモリ１２退避する（ステップＳ２１４）。
【００６３】
サスペンド制御部１３は、続いて、燃料電池本体２１による電力の供給を停止して主制御
部１０に対しサスペンド処理の終了を通知する（ステップＳ２１５）。
【００６４】
一方、ユーザは、燃料の注入を終え、燃料タンク２２の燃料補給口を閉栓したとする。
【００６５】
燃料補給口の閉栓は、開栓センサ２２１により検知され（ステップＳ２１６）、このこと
は、携帯電話機本体１の入力ポート１１を経由して主制御部１０に取り込まれる。
【００６６】
このことにより、主制御部１０は、リジューム制御部１４を起動し、リジューム制御部
１４は、燃料電池２００における燃料補給口の閉栓を検知したとことを契機に、燃料電池
本体２１による電力の供給を再開し（ステップＳ２１８）、不揮発性メモリ１２から装置
の内部状態、すなわち、メール作成中であることを示すフラグ、およびキーインバッファ
に保持された情報をＲＡＭ１７に呼び出し（リストア）、処理中断直前の状態からメール
作成処理を再開する制御を行なう（ステップＳ２１９）。
【００６７】
なお、主制御部１０は、リジューム制御部１４による電源の再投入処理（ステップＳ２
１８）に先立ち、外気温センサ５により計測される外気温と、熱センサ２２２により計測
される燃料電池２００内部の温度とを入力ポート１１を介して取得し、両者の温度差を監
視している（ステップＳ２１７）。
【００６８】
この温度差が所定の値を超えた場合（ステップＳ２１７“α≧β”）、クロスオーバに
より発電効率が極端に落ち、換気、あるいは低温場所への移動が望まれるため、表示モニ
タ４に注意喚起のメッセージを表示する。なお、表示モニタ４以外に警報ランプ等で代替
してもよい。同時に、リジューム制御部１４に対し、電源の自動供給再開を禁止（ロック
）する制御も行なう（ステップＳ２２０）。したがってこの場合の電源再投入は、回復時
に手動で行なわれる。
【００６９】
以上説明したように上記した本発明の実施の形態によれば、メール作成途中に燃料電池
２００の残量が残り僅かとなり、燃料補充が必要とされたとき、主制御部１０は、開栓セ
ンサ２２１および／またはカバーセンサ２２３により燃料タンク２２の開栓を検知し、サスペンド制御部１３と協働してメール作成にかかわる装置の内部状態（例えば、処理フラグ、およびキーインバッファの内容）を不揮発性メモリ１２に保存して電源を切断する。そして、開栓センサ２２１により燃料の注入を終えたことを検知したときにリジューム制御部１４と協働して電源を再投入し、保存した内部状態を呼び出して中断されたアプリケーションの処理を再開させることで、燃料漏れに起因する機器の故障を未然に防止することができる。
【００７０】
また、主制御部１０は、燃料電池２００と外気温との温度差を監視することにより、リ
ジューム処理時の自動電源再投入を禁止し、あるいは温度異常を警告することで、ユーザ
に喚気を促し、あるいは低温場所への移動を促す等、燃料電池２００を安全に効率良く使
用するための注意喚起が可能である。
【００７１】
なお、上記した本発明の実施の形態によれば、燃料電池２００を内蔵するタイプの携帯
電話機において、燃料カートリッジを用いて燃料補給口に燃料を補充のために注入する例
のみ示したが、外付けタイプの携帯電話機、あるいは携帯電話機を含むＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）等、燃料電池２００を主電源とする携帯端末装置全般にわたり、燃料補給の際には同様に応用が可能である。
【００７２】
また、上記した本発明の実施の形態によれば、アプリケーションの一例としてメール作
成時の処理中断、処理再開についてのみ説明したが、他に、インターネットを利用したフ
ァイルのダウンロード中断、再開を行なうアプリケーションに適用してもよい。具体的に
、例えば、１０ＭＢのファイルをダウンロード中、６ＭＢでダウンロードが中断されても
、保存したデータの続きからダウンロードを再開できる。つまり、ダウンロード途中であ
ることをと示すフラグと、ダウンロードの進捗情報を不揮発性メモリ１２に保存し、電源
再投入時、ＲＡＭ１７に状態復帰させることで、残る４ＭＢを継続してダウンロードする
ことが可能である。但し、この場合、接続されるサーバもリジュームに対応していること
が条件である。他に、カメラ、映画、音楽再生においても同様、中断直前の状態から処理
が再開できる。
【００７３】
なお、図１に示す携帯電話機本体１（主制御部１０）は、具体的にはマイコンにより構
成され、マイコンが内蔵のメモリ（ＲＯＭ）に記録されたプログラムを読み出し、逐次実
行して周辺デバイスを制御することにより、「燃料補給口の開栓を検知したことを契機に
実行中のアプリケーションを中断して装置の内部状態を退避して燃料電池による電力の供
給を停止し、燃料補給口の閉栓を検知したとことを契機に燃料電池による電力の供給を再
開し、装置の内部状態を呼び出してアプリケーション処理中断直前の状態から再開する」
機能を実現するものである。
【００７４】
ここで、周辺デバイスとは、キースイッチ３、表示デバイス４、外気温センサ５、開栓
センサ２２１、熱センサ２２２、不揮発性メモリ１２、ＲＡＭ１７等をいい、これらは、
いずれもマイコンとは独立したＬＳＩで構成され、入力ポート１１、あるいは図示せぬ入
出力ポートを介し、マイコンにそれぞれ接続される。
【００７５】
次に、図５に示す携帯電話機本体１（主制御部１０）は、具体的にはマイコンにより構
成され、マイコンが内蔵のメモリ（ＲＯＭ）に記録されたプログラムを読み出し、逐次実
行して周辺デバイスを制御することにより、「燃料補給口カバーの開状態を検知したこと、または、燃料補給口の開栓を検知したことを契機に実行中のアプリケーションを中断して装置の内部状態を退避して燃料電池による電力の供給を停止し、燃料補給口の閉栓を検知したとことを契機に燃料電池による電力の供給を再開し、装置の内部状態を呼び出してアプリケーション処理中断直前の状態から再開する」機能を実現するものである。
【００７６】
ここで、周辺デバイスとは、キースイッチ３、表示デバイス４、外気温センサ５、燃料補給口のカバーセンサ２２３、開栓センサ２２１、熱センサ２２２、不揮発性メモリ１２、ＲＡＭ１７等をいい、これらは、いずれもマイコンとは独立したＬＳＩで構成され、入力ポート１１、あるいは図示せぬ入出力ポートを介し、マイコンにそれぞれ接続される。
【００７７】
ここで、本実施形態に係る各種温度について、図４（ａ）〜（ｄ）に関連付けて説明す
る。
【００７８】
アルコール（エチルアルコール）の沸点は７８．３°Ｃ（１気圧）である。また、通常
の携帯端末装置の動作温度は０°Ｃ〜４０°Ｃの範囲である。
【００７９】
図４（ａ）は、燃料電池が正常に動作しているときの各部所の温度例を示す図である。
【００８０】
燃料電池の動作中の時は、化学反応により、燃料電池本体の温度は９０°Ｃ程度になっ
ている。
【００８１】
外気温度が２０°Ｃの時、燃料電池内部の温度（燃料タンクを含む）は６０°Ｃ程度に
達する。このときの温度差（＝燃料電池内部の温度―外気温度）は４０°Ｃとなる。同様
に、外気温度０°Ｃの場合、外気温度画４０°Ｃの場合も温度差は４０°Ｃとなる。
【００８２】
図４（ｂ）は、燃料電池が動作中で異常が発生したときの各部所の温度例を示す図であ
る。
【００８３】
燃料電池の冷却ファン等の故障により、内部の温度が上昇し、温度差が大きくなった場
合、図４（ａ）の場合と比較して内部温度が１０°Ｃ上昇し、温度差が５０°Ｃになって
いる。
【００８４】
図４（ｃ）は、燃料電池が停止中で、正常時の各部所の温度例を示す図である。
【００８５】
アルコールを補給するために、燃料電池の動作を停止したときの温度差は、図４（ａ）
の場合と比較して、本体の温度が１０°Ｃ下がっており、内部の温度も１０°Ｃ降下して
いる。
【００８６】
図４（ｄ）は、燃料電池が停止中で、異常が発生したときの各部所の温度例を示す図で
ある。
【００８７】
アルコールを補給するために、燃料電池の動作を停止したが、図４（ｃ）の場合と同様
に、本体の温度は１０°Ｃ下がっているが、冷却ファン等の故障により内部の温度が１０
°Ｃ上昇している。
【００８８】
以上のような状態を踏まえて、前述したように、本実施形態のリジューム制御部１４は
、主制御部１０による制御の下、計測される外気温と燃料電池２００の内部の温度との温
度差（α）が、所定の値（閾値β）を超えたときに、電力の供給再開を禁止する制御を行
なう。
【００８９】
また、主制御部１０は、外気温センサ５を介して取得される外気温情報と、燃料電池２
００内部の温度情報（熱センサ２２２出力）とをそれぞれ取得し、外気温と燃料電池内部
の温度との温度差を監視し、その温度差が閾値βを超えたときに、表示モニタ４に注意喚
起のメッセージを表示する報知手段としても機能する。
【図面の簡単な説明】
【００９０】
【図１】本発明の第１の実施の形態にかかわる携帯端末装置の内部構成を示すブロック図である。
【図２】本発明の第２実施の形態にかかわる携帯端末装置の動作を説明するために引用したフローチャートである。
【図３】燃料電池を搭載した携帯端末装置の外観構造を説明するために引用した図である。
【図４】本発明の実施の形態に係る各種温度について説明するための図である。
【図５】本発明の第２の実施の形態にかかわる携帯端末装置の内部構成を示すブロック図である。
【図６】本発明の第２の実施の形態にかかわる携帯端末装置の動作を説明するために引用したフローチャートである。
【図７】燃料電池を搭載した携帯端末装置の外観構造を説明するために引用した図である。
【符号の説明】
【００９１】
１…携帯電話機本体
３…キースイッチ
４…表示デバイス（表示モニタ）
１０…主制御部
１１…入力ポート
１２…不揮発性メモリ
１３…サスペンド制御部
１４…リジューム制御部
１５…電源制御部
１６…ＧＵＩ提供部
１７…ＲＡＭ
２１…燃料電池本体
２２…燃料タンク
２００…燃料電池
２０１…燃料補給口
２２１…開栓センサ
２２２…熱センサ
２２３…カバーセンサ（第２の検知手段）
２２４…カバー
【図１】
2008052725.tif 000003
【図２】
2008052725.tif 000004
【図３】
2008052725.tif 000005
【図４】
2008052725.tif 000006
【図５】
2008052725.tif 000007
【図６】
2008052725.tif 000008
【図７】
2008052725.tif 000009